(57)【要約】【課題】山間部などに設置される従来の三角トラス型の風況観測塔は、接地面積を比較的多く必要とし、施工が面倒でコストが嵩む傾向にある。【解決手段】本発明による風況観測塔１０は、相隔てて相互に平行に対向し、複数の連結穴１６が縁辺部にそれぞれ形成された正方形状をなす一対の端板１２，１３と、これら一対の端板１２，１３の隅部に両端がそれぞれ結合され、相互に平行に延在する４本の連結管１４とをそれぞれ有し、垂直に重ねて連結される複数の四角支柱１１と、四角支柱１１から離れて地中に埋設される４組の支線アンカー２４と、四角支柱１１の連結管１４と支線アンカー２４とを連結する４組の支線ケーブル２５とを具え、四角支柱１１の連結管１４よりも長尺であって、最も上に位置する四角支柱１１の何れか１本の連結管１４に下端部が連結される台棒２８と、この台棒２８の上端部に装着される避雷突針２９とをさらに具えることができる。【選択図】図１
2018112039.tif 000002
【特許請求の範囲】
【請求項１】
相隔てて相互に平行に対向し、かつ複数の連結穴が縁辺部にそれぞれ形成された正方形状をなす一対の端板と、これら一対の端板の隅部に両端がそれぞれ結合され、かつ相互に平行に延在する４本の連結管とをそれぞれ有し、垂直に重ねて連結される複数の四角支柱と、
前記四角支柱を中心として回転対称となるように、前記四角支柱から離れて地中に埋設される４組の支線アンカーと、
前記四角支柱が垂直となるように、前記四角支柱の連結管と前記複数組の支線アンカーとを連結する４組の支線ケーブルと
を具えたことを特徴とする風況観測塔。
【請求項２】
前記個々の四角支柱は、前記端板の縁辺部と平行に隣り合う任意の２本の連結管に接合され、これら連結管の長手方向に沿って所定間隔で配される複数の補強板をさらに有することを特徴とする請求項１に記載の風況観測塔。
【請求項３】
前記四角支柱の前記連結管よりも長尺であって、最も上に位置する四角支柱の何れか１本の連結管に下端部が連結される台棒と、
この台棒の上端部に装着される避雷突針と
をさらに具えたことを特徴とする請求項１または請求項２に記載の風況観測塔。
【請求項４】
地上から所定高さにある前記四角支柱から水平方向に突出するように、基端部が前記四角支柱の連結管に連結されると共に風向風速計が先端部に取り付けられる支持アームと、
地表付近にある前記四角支柱に装着されて前記風向風速計からの情報を取得するデーターロガーと、
前記支持アームよりも下方に位置する前記四角支柱の連結管に取り付けられて前記データーロガーと前記風向風速計とに電力を供給する太陽電池と
をさらに具えたことを特徴とする請求項１から請求項３の何れか一項に記載の風況観測塔。
【請求項５】
請求項１から請求項４の何れか一項に記載の風況観測塔の設置方法であって、
地中に埋設される四角支柱の下側の端板にアンカープレートを接合するステップと、
前記アンカープレートが接合された前記四角支柱の上側の端板が地表付近に位置するように、この四角支柱を地中に垂直に埋設するステップと、
地中に埋設された前記四角支柱の上側の端板の上に新たな四角支柱の下側の端板を重ね合わせてこれら２つの端板の連結穴にボルトをそれぞれ通し、これらを一体的に連結する支柱第１連結ステップと、
地上に設置されたウインチに一端を連結したロープが巻き掛けられる滑車ユニットを台棒の上端に装着する滑車ユニット装着ステップと、
前記台棒の下端部を最上段に位置する四角支柱の任意の一本の連結管に自在クランプを用いて連結する台棒連結ステップと、
前記ロープの他端に取り付けられた吊具を次に重ねられる四角支柱の上側の端板に地上にて接続する支柱吊り上げ準備ステップと、
前記ウインチを操作して前記次に重ねられる四角支柱の下側の端板を前記最上段に位置する四角支柱の上側の端板の上に重ね、これら２台の四角支柱の相互に重なり合う２つの端板の連結穴にボルトを通し、これらを一体的に連結する支柱吊り上げ連結ステップと、
新たに最上段となった四角支柱の上側の端板に対する前記ロープの他端の接続を解除し、前記ロープの他端を吊具と共に地上へと降下させる吊具吊り下ろしステップと、
前記自在クランプを緩めて前記台棒の下端部とこれが固定されていた前記四角支柱との連結を解除する台棒連結解除ステップと、
前記四角支柱から離れて４組の支線アンカーを地中に埋設するステップと、
積み重ねられる前記四角支柱が垂直となるように、４組の支線ケーブルを用いて前記四角支柱の四隅の連結管と前記４組の支線アンカーとをそれぞれ連結するステップと
を具え、前記台棒連結ステップ，前記支柱吊り上げ準備ステップ，前記支柱吊り上げ連結ステップ，前記吊具吊り下ろしステップ，前記台棒連結解除ステップを順に複数回繰り返し、複数の前記四角支柱を所定の高さまで組み上げることを特徴とする風況観測塔の設置方法。
【請求項６】
最後の前記台棒連結解除ステップに続き、前記台棒の上端から前記滑車ユニットを取り外し、代わりに避雷突針を装着するステップと、前記台棒連結ステップとをさらに具えたことを特徴とする請求項５に記載の風況観測塔の設置方法。
【請求項７】
前記台棒連結ステップは、前記台棒の下端部から径方向外側に突出するストッパーの先端部が前記四角支柱の前記補強板の上端に載るように前記台棒を回転し、前記台棒の落下を阻止するステップを含むことを特徴とする請求項５または請求項６に記載の風況観測塔の設置方法。
【請求項８】
作業者の足場となる踏み部材を前記四角支柱の前記補強板に取り外し可能に装着するステップをさらに具えたことを特徴とする請求項５から請求項７の何れか一項に記載の風況観測塔の設置方法。
【請求項９】
前記支柱吊り上げ準備ステップは、次に重ねられる四角支柱の任意の一本の連結管に前記自在クランプを取り付けるステップを含むことを特徴とする請求項５から請求項８の何れか一項に記載の風況観測塔の設置方法。
【請求項１０】
前記滑車ユニット装着ステップは、前記支柱第１連結ステップにて連結された上側に位置する四角支柱の下部に滑車を取り付け、この滑車を介して前記ロープの一端を前記ウインチに連結するステップを含むことを特徴とする請求項５から請求項９の何れか一項に記載の風況観測塔の設置方法。
【発明の詳細な説明】
【技術分野】
【０００１】
本発明は、地上から所定の高さにある場所での長期間に亙る風況を取得するための観測塔およびその設置方法に関する。
【背景技術】
【０００２】
風力発電装置は、近年、再生可能エネルギーとして注目され、その普及が急速に拡大しつつあるが、地上の特定な場所での風の吹き方、すなわち風速や風向の変化や最大瞬間風速などによって、風力タービン、すなわち風力発電機の稼働効率は大きく変化する。このため、風力発電装置を設置する際には、風力発電機の性能を最大限に引き出すため、風力発電機が設置される場所での風の吹き方、つまり風況を１年以上の長期間に亙ってあらかじめ調査しておく必要がある。特に、山間部に風力発電機を設置する場合、樹木などの周囲の植生による悪影響を受けないように、風力発電機を設置しなければならず、また、この風力発電機の設置予定個所において、あらかじめ地上から４０〜６０ｍ程度の高さの風況を観測する必要も生ずる。
【０００３】
従来、この種の風況観測塔を設置する場合、一年後の解体および撤去が容易となるように、支線式のモノポール型やトラス型の鉄塔が採用される。平地に鉄塔を設置する場合、鉄塔を横倒しの状態で組み立てた後、ジンポールとウインチとを用いて鉄塔を地上から引き起こし、水平面に対して垂直となるように支線の張力を調整している。これに対し、鉄塔を横倒し状態で組み立てることが困難な山間部に鉄塔を設置する場合、下から順に組み立てる方法が採用される。
【発明の概要】
【発明が解決しようとする課題】
【０００４】
風況観測塔を山間部に建設する場合は、周囲の樹木による悪影響を受けない６０ｍ程度の観測塔の設置を考慮しなければならない。しかも、周囲の植生、すなわち樹木の茂り具合や高さに加え、平坦な場所が少ないなどの設置場所の制約が加わり、用地の確保に加えて機材の搬入などの難しさがつきまとい、計画から完成までに多くの時間を必要としている。
【０００５】
モノポール構造の観測塔は、横倒し状態にあるモノポール構造の観測塔を引き起こすためにクレーンなどの重機が必要となり、一般的には４０ｍ程度までの高さのものが最大とされている。また、観測塔を横倒し状態で組み立てるための広大な用地が必要であり、現場に重機を搬入するための手間などを考慮すると、モノポール構造の観測塔を山間部に設置することは極めて困難な場合が多い。
【０００６】
これに対し、山形鋼を組み合わせたトラス型のものは、山間部での現場組み立てが可能であり、モノポール構造よりも高い観測塔を設置することが可能である。しかしながら、従来のトラス型の塔は、組み立てのために少なくとも２名の高所作業者を必要とする。しかも、支線ケーブルを３組しか張ることができないので、塔から支線アンカーまでの距離を長く設定する必要があり、そのために広い用地を確保しなければならない。
【０００７】
本発明の目的は、山間部であっても１名の高所作業者だけで迅速かつ容易に設置し得る風況観測塔およびその設置方法を提供することにある。
【課題を解決するための手段】
【０００８】
本発明の第１の形態は、相隔てて相互に平行に対向し、かつ複数の連結穴が縁辺部にそれぞれ形成された正方形状をなす一対の端板と、これら一対の端板の隅部に両端がそれぞれ結合され、かつ相互に平行に延在する４本の連結管とをそれぞれ有し、垂直に重ねて連結される複数の四角支柱と、
前記四角支柱を中心として回転対称となるように、前記四角支柱から離れて地中に埋設される４組の支線アンカーと、
前記四角支柱が垂直となるように、前記四角支柱の連結管と前記複数組の支線アンカーとを連結する４組の支線ケーブルと
を具えたことを特徴とするものである。
【０００９】
本発明においては、垂直に重ねて連結される複数の四角支柱を中心として、それぞれ一直線状に配列する４組の連結管から支線ケーブルが放射状に配された状態となる。
【００１０】
本発明の第１の形態による風況観測塔において、個々の四角支柱は、端板の縁辺部と平行に隣り合う任意の２本の連結管に接合され、これら連結管の長手方向に沿って所定間隔で配される複数の補強板をさらに有するものであってよい。
【００１１】
四角支柱を中心として回転対称となるように、四角支柱から離れて地中に埋設される４組の支線アンカーと、四角支柱が垂直となるように、四角支柱の連結管と複数組の支線アンカーとを連結する４組の支線ケーブルとをさらに具えることができる。
【００１２】
四角支柱の連結管よりも長尺であって、最も上に位置する四角支柱の何れか１本の連結管に下端部が連結される台棒と、この台棒の上端部に装着される避雷突針とをさらに具えることができる。
【００１３】
地上から所定高さにある四角支柱から水平方向に突出するように、基端部が四角支柱の連結管に連結されると共に風向風速計が先端部に取り付けられる支持アームと、地表付近にある四角支柱に装着されて風向風速計からの情報を取得するデーターロガーと、支持アームよりも下方に位置する前記四角支柱の連結管に取り付けられてデーターロガーと風向風速計とに電力を供給する太陽電池とをさらに具えることができる。
【００１４】
本発明の第２の形態は、本発明の第１の形態による風況観測塔の設置方法であって、地中に埋設される四角支柱の下側の端板にアンカープレートを接合するステップと、前記アンカープレートが接合された前記四角支柱の上側の端板が地表付近に位置するように、この四角支柱を地中に垂直に埋設するステップと、地中に埋設された前記四角支柱の上側の端板の上に新たな四角支柱の下側の端板を重ね合わせてこれら２つの端板の連結穴にボルトをそれぞれ通し、これらを一体的に連結する支柱第１連結ステップと、地上に設置されたウインチに一端を連結したロープが巻き掛けられる滑車ユニットを台棒の上端に装着する滑車ユニット装着ステップと、前記台棒の下端部を最上段に位置する四角支柱の任意の一本の連結管に自在クランプを用いて連結する台棒連結ステップと、前記ロープの他端に取り付けられた吊具を次に重ねられる四角支柱の上側の端板に地上にて接続する支柱吊り上げ準備ステップと、前記ウインチを操作して前記次に重ねられる四角支柱の下側の端板を前記最上段に位置する四角支柱の上側の端板の上に重ね、これら２台の四角支柱の相互に重なり合う２つの端板の連結穴にボルトを通し、これらを一体的に連結する支柱吊り上げ連結ステップと、新たに最上段となった四角支柱の上側の端板に対する前記ロープの他端の接続を解除し、前記ロープの他端を吊具と共に地上へと降下させる吊具吊り下ろしステップと、前記自在クランプを緩めて前記台棒の下端部とこれが固定されていた前記四角支柱との連結を解除する台棒連結解除ステップと、前記四角支柱から離れて４組の支線アンカーを地中に埋設するステップと、積み重ねられる前記四角支柱が垂直となるように、４組の支線ケーブルを用いて前記四角支柱の四隅の連結管と前記４組の支線アンカーとをそれぞれ連結するステップとを具え、前記台棒連結ステップ，前記支柱吊り上げ準備ステップ，前記支柱吊り上げ連結ステップ，前記吊具吊り下ろしステップ，前記台棒連結解除ステップを順に複数回繰り返し、複数の前記四角支柱を所定の高さまで組み上げることを特徴とするものである。
【００１５】
本発明の第２の形態による風況観測塔の設置方法において、最後の台棒連結解除ステップに続き、台棒の上端から滑車ユニットを取り外し、代わりに避雷突針を装着するステップと、台棒連結ステップとをさらに具えることができる。
【００１６】
台棒連結ステップは、台棒の下端部から径方向外側に突出するストッパーの先端部が四角支柱の補強板の上端に載るように台棒を回転し、台棒の落下を阻止するステップを含むことができる。
【００１７】
作業者の足場となる踏み部材を四角支柱の補強板に取り外し可能に装着するステップをさらに具えることができる。
【００１８】
支柱吊り上げ準備ステップは、次に重ねられる四角支柱の任意の一本の連結管に自在クランプを取り付けるステップを含むことができる。
【００１９】
滑車ユニット装着ステップは、支柱第１連結ステップにて連結された上側に位置する四角支柱の下部に滑車を取り付け、この滑車を介してロープの一端をウインチに連結するステップを含むことができる。
【発明の効果】
【００２０】
本発明の風況観測塔によると、市販の安価な四角支柱を用いて接地面積の少ない風況観測塔を山間部などにも低コストにて迅速に設置することができる。
【００２１】
端板の縁辺部と平行に隣り合う任意の２本の連結管に接合され、これら連結管の長手方向に沿って所定間隔で配される複数の補強板を個々の四角支柱がさらに有する場合、風況観測塔の剛性を高めることができる。
【００２２】
四角支柱の連結管よりも長尺であって、最も上に位置する四角支柱の何れか１本の連結管に下端部が連結される台棒と、この台棒の上端部に装着される避雷突針とをさらに具えている場合、台棒を避雷突針の支持部材として利用することができる。
【００２３】
四角支柱に連結された支持アームの先端部に取り付けられる風向風速計と、風向風速計からの情報を取得するデーターロガーと、データーロガーと風向風速計とに電力を供給する太陽電池とをさらに具えている場合、長期間に亙る風況を無人で観測することができる。
【００２４】
本発明の風況観測塔の設置方法によると、複数の四角支柱を所定の高さまで効率よく迅速に組み上げることができる。
【００２５】
最後の台棒連結解除ステップに続き、台棒の上端から滑車ユニットに代えて避雷突針を装着するステップと、台棒連結ステップとをさらに具えている場合、台棒を避雷突針の支持部材としてそのまま流用することができる。
【００２６】
台棒連結ステップは、台棒の下端部から径方向外側に突出するストッパーの先端部を四角支柱の補強板の上端に載るように台棒を回転させるステップを含む場合、台棒を支えるための労力を緩和させることができる。
【００２７】
作業者の足場となる踏み部材を四角支柱の補強板に取り外し可能に装着するステップをさらに具えている場合、高所作業となる作業者の足場を容易に確保することができる。
【００２８】
支柱吊り上げ準備ステップは、次に重ねられる四角支柱の任意の一本の連結管に自在クランプを取り付けるステップを含む場合、台棒連結ステップにて台棒を四角支柱の連結管に連結する作業を容易かつ迅速に行うことができる。
【００２９】
支柱第１連結ステップにて連結された上側に位置する四角支柱の下部に滑車を取り付け、この滑車を介してロープの一端をウインチに連結するステップを含む場合、組立中の風況観測塔を倒すような力が加わるのを回避することができる。
【図面の簡単な説明】
【００３０】
【図１】本発明による風況観測塔の一実施形態の外観を破断状態で表す立体投影図である。
【図２】図１に示した実施形態の正面図である。
【図３】図１に示した実施形態における風向風速計の取り付け状態を模式的に表す平面図である。
【図４】図１に示した実施形態の組み立て時における状態を分解して表す立体投影図である。
【図５】図１に示した実施形態における風況観測塔の上端部を拡大した立体投影図である。
【図６】図１に示した実施形態において、図７および図８と共に四角支柱の組み立て状態を模式的に表す立体投影図であり、四角支柱の吊り上げ直前の状態を表す。
【図７】図１に示した実施形態において、図６および図８と共に四角支柱の組み立て状態を模式的に表す立体投影図であり、四角支柱を吊り上げている途中の状態を表す。
【図８】図１に示した実施形態において、図６および図７と共に四角支柱の組み立て状態を模式的に表す立体投影図であり、四角支柱を積み重ねた状態を表す。
【発明を実施するための形態】
【００３１】
本発明による風況観測塔の一実施形態について、図１〜図８を参照しながら詳細に説明する。
【００３２】
本実施形態における風況観測塔の外観を破断状態で図１に示し、その正面形状を図２に示し、風向風速計の取り付け状態の平面構造を模式的に図３に示す。また、組み立て時における風況観測塔の主要部を分解状態で図４に示し、風況観測塔の上端部の正面形状を抽出拡大して図５に示す。
【００３３】
本実施形態における風況観測塔１０は、垂直に重ねて連結される複数の四角支柱１１を具えている。本実施形態における四角支柱１１は、通常、大型の屋根トラスなどを一時的に支持する支柱や、一般の支保工において作業空間や通路を確保するための大型支保梁などを支持するサポートとして利用されるものである。本実施形態では、寸法形状が規格化され、安価に入手可能な軽量四角支柱（ＳＳＬ−２００，ＳＳＬ−１２５）を採用しているが、これに限定されない。個々の四角支柱１１は、正方形状をなす一対の端板１２，１３と、相互に平行に延在する４本の連結管１４と、端板１２，１３の縁辺部と平行に隣り合う２本の連結管１４にそれぞれ接合される複数組の補強板１５とをそれぞれ有する。一対の端板１２，１３は、相隔てて相互に平行に対向し、かつ複数のボルト穴、すなわち連結穴１６が縁辺部にそれぞれ形成されている。連結管１４は、これら一対の端板１２，１３の隅部、すなわち四隅に両端がそれぞれ結合されている。各補強板１５は、これらの中央部に作業者の足場となる踏み棒１７を挿通するための丸穴１８がそれぞれ形成され、それぞれ平行に対向するように、連結管１４の長手方向に沿って所定間隔で配されている。２ｍの長さ四角支柱１１には５組の補強板１５が設けられ、１.２５ｍの長さの四角支柱１１には３組の補強板１５が設けられている。
【００３４】
より詳細には、８ｍｍの厚さを有する端板１２，１３は、中央に丸穴１９が形成された一辺が２５０ｍｍの正方形状であり、各縁辺にＭ１６のボルト２０を挿通するための連結穴１６が３個ずつ、合計１２個形成されている。端板１２，１３が相互に重ね合わされる四角支柱１１は、連結穴１６に挿通される１２本のボルト２０とこれらにねじ込まれるナット２１およびはね座金２２などを用いて強固に連結される。最上段の四角支柱１１（ＳＳＬ−１２５）は１．２５ｍの長さを有し、重量が約２２ｋｇある。それ以外の四角支柱１１（ＳＳＬ−２００）は２ｍの長さを有し、重量が約３１ｋｇある。各連結管１４の直径は約４３ｍｍであり、２.４ｍの肉厚を有するが、これに限定されない。
【００３５】
風況観測塔１０が約６０メートルの高さを有する場合、地中に埋設される１本の四角支柱１１を含め、３０本の２ｍの長さの四角支柱１１と、最上段に配される１本の１.２５ｍの長さの四角支柱１１とを本実施形態では用いているが、これに限定されない。周囲の樹木などの植生の状況や地形などに応じてその高さを適宜変更することが可能であり、長さの異なる四角支柱を採用することも可能である。本実施形態では、地中に埋設される四角支柱１１の下側の端板１２に一辺が１ｍの正方形状をなす２２ｍｍの厚さのアンカープレート２３をボルト止めしている。
【００３６】
また、本実施形態における風況観測塔１０は、四角支柱１１から離れて地中に埋設される４組の支線アンカー２４と、四角支柱１１の連結管１４と複数組の支線アンカー２４とを連結する４組の支線ケーブル２５とを具えている。本実施形態における支線アンカー２４は、日本地工株式会社製のチコーアンカー（登録商標）を用いており、支線ロッド２６をその一部が地表に突出するように連結しているが、これに限定されない。各組の支線アンカー２４は、四角支柱１１を中心として回転対称となるように、支線ケーブル２５が図３に示すように、９０度ずつずれた放射状をなすように配される。上端部が巻き付けグリップ２７を介して四角支柱１１の連結管１４に連結される支線アンカー２４の基端部は、四角支柱１１が垂直となるように、図示しないシンブルおよび巻き付けグリップを介して支線ロッド２６に連結されている。風況観測塔１０の中心から各組の支線アンカー２４までの距離は１６ｍ，１９ｍ，２２ｍ，２５ｍであり、従って５０ｍの円内に風況観測塔１０を設置することができる。
【００３７】
さらに、本実施形態における風況観測塔１０は、台棒２８と、避雷突針２９と、風向風速計３０と、その支持アーム３１と、データーロガー３２と、太陽電池３３とを具えている。台棒２８はその下端部が最上段の四角支柱１１の連結管１４に周知の自在クランプ３４を介して連結される。台棒２８の直径は約４５ｍｍであり、約３.８５ｍの長さを有するけれども、その重量は作業者が片手で持ち上げることができる約１０ｋｇ程度である。避雷突針２９は、この台棒２８の上端部に絶縁部材３５および自在クランプ３６を介して装着される。避雷突針２９から引き出される導線ケーブル３７は、図示しないタイベルトを用いて風況観測塔１０の連結管１４に沿って地上まで導かれ、地中に埋設される図示しないアース棒に接続している。風向風速計３０が先端部に取り付けられる支持アーム３１は、地上から所定の高さ（本実施形態では約４０ｍ，５０ｍ，６０ｍ）にある四角支柱１１から水平方向に突出するように、基端部が四角支柱１１の連結管１４に自在クランプ３８を介して連結されている。データーロガー３２は、地表に最も近い初段の四角支柱１１に装着されて風向風速計３０からの情報を取得する。太陽電池３３は、樹木などの影に入らないように南向きで風向風速計３０の支持アーム３１よりも下方に位置する四角支柱１１の連結管１４に取り付けられ、データーロガー３２と風向風速計３０とに電力を供給する。
【００３８】
なお、本実施形態では、最上段に位置する四角支柱１１の上側の端板１３の連結穴１６に捨て滑車３９が連結具４０を介して取り付けられている。この捨て滑車３９は、風況観測塔１０の施工時での風向風速計３０などの吊り上げや不要となった各種器具や工具類および高所作業者自身を図示しないウインチで吊り下ろすために用いられる。
【００３９】
このような本実施形態による風況観測塔１０の施工手順について以下に説明すると、まず、風況観測塔１０を設置する個所の適否を確認し、次いで４組の支線ケーブル２５を張るための４組の支線アンカー２４の方位および場所の適否を確認する。このようにして、最も好ましい風況観測塔１０を設置する個所と、支線アンカー２４の埋設個所とを決定し、これら支線アンカー２４の埋設個所から離れた適当な地表に図示しないウインチを固定する。このウインチは、一般的な小型発電機にて作動させることができる。
【００４０】
次に、４組の支線アンカー２４をそれぞれの設定位置に埋設すると共に各支線アンカー２４の上端に支線ロッド２６を連結し、支線ロッド２６の一部を地表から露出させた状態にする。また、風況観測塔１０の設置個所の地面をアンカープレート２３よりも多少大きめに２メートルの深さまで掘り、基礎となる四角支柱１１を埋設するための穴４１を形成する。そして、地中に埋設される基礎用の四角支柱１１の一方の端板１２にアンカープレート２３をボルト止めし、このアンカープレート２３が下となるように、基礎となる四角支柱１１を地面に掘った穴４１に設置する。そして、この四角支柱１１の上側の端板１３が水平な状態で地表付近に位置するように、穴４１を掘削したときに生じた残土の一部をこの穴４１に埋め戻す。
【００４１】
しかる後、次に重ねられる四角支柱１１の任意の一本の連結管１４の上部に自在クランプ３４をあらかじめ取り付けておき、この初段となる四角支柱１１の下側の端板１２を地中に埋設された四角支柱１１の上側の端板１３の上に重ね合わせる。そして、これら２つの端板１２，１３の連結穴１６にボルト２０をそれぞれ通し、これらを一体的に連結する。この後、四角支柱が垂直となるように必要に応じて残土の一部をさらに穴４１に埋め戻し、四角支柱１１の姿勢を調整する。
【００４２】
初段の四角支柱１１の４本の連結管１４のうち、ウインチに最も近い連結管１４の下部に滑車４２を取り付け、先のウインチに一端を連結したロープ４３がこの滑車４２を介して巻き掛けられる滑車ユニット４４を台棒２８の上端に装着する。そして、この台棒２８の下端部を初段の四角支柱１１の上部に固定された自在クランプ３４を介して連結する。この際に、あらかじめ台棒２８を回転し、台棒２８の下端部から径方向外側に突出するストッパー４５の先端部を四角支柱１１の上限の端板１２，１３の中間位置にある補強板１５の上端に載せる。これにより、作業者が台棒２８を支えなくても、台棒２８の落下を阻止することができる。
【００４３】
なお、作業者が組み立て中の四角支柱１１を単に昇降する場合には、補強板１５を踏み板として利用することができる。締結金具、すなわちボルト２０，ナット２１，はね座金２２を用いて上下の四角支柱１１を連結するような作業は、踏み棒１７を適当な高さにある対向する一対の補強板１５の丸穴１８に通し、補強板１５から突出する踏み棒１７の両端部に足を載せて作業を行えばよい。この場合、作業者は落下防止用のハーネスを四角支柱１１に連結し、四角支柱１１からの落下による事故を防止する。
【００４４】
次に、図６に示すように、滑車ユニット４４から吊り下げられたロープ４３の他端に取り付けられた吊具４６を次に重ねられる四角支柱１１の上側の端板１３に地上にて接続する。さらに、四角支柱１１の吊り上げ時に四角支柱１１の姿勢を安定させるため、この四角支柱１１の下端部に支えロープ４７の先端部に取り付けられた連結具４８を用いて連結する。
【００４５】
しかる後、ウインチを操作して図７に示すように次に重ねられる四角支柱１１を吊り上げ、地上作業者が支えロープ４７を引っ張って上昇中の四角支柱１１の姿勢を安定させる。そして、最上段の四角支柱１１で待機している高所作業者が最上段に位置する四角支柱１１の上側の端板１３の上に吊り上げられた四角支柱１１の下側の端板１２が重なるように位置決めする。しかる後、図８に示すようにこれら２台の四角支柱１１の相互に重なり合う２つの端板１２，１３の連結穴１６にボルト２０を通し、これらを一体的に連結する。
【００４６】
高所作業者は、最上段の四角支柱１１の直下に連結されている四角支柱１１から自在クランプ３４を緩め、台棒２８の下端部を最上段の四角支柱１１の上部に持ち上げる。そして、ストッパー４５の先端部が最上段となった四角支柱１１の中間位置にある補強板１５の上端に載るように台棒２８を回転させた後、この四角支柱１１に取り付けられている自在クランプ３４を介して台棒２８の下端部を最上段となった四角支柱１１に固定する。
【００４７】
しかる後、台棒２８を連結していた下側の四角支柱１１の連結管１４に固定されている自在クランプ３４をこの四角支柱１１から取り外す。また、支えロープ４７の連結具４８を四角支柱１１から取り外すと共に新たに最上段となった四角支柱１１の上側の端板１３から吊具４６を外す。そして、これら不要となった自在クランプ３４および連結具４８を吊具４６に連結した状態でウインチを逆転し、ロープ４３の他端を吊具４６および支えロープ４７ならびに自在クランプ３４と共に地上へと降下させる。この後、これらを次に重ねられる四角支柱１１に地上にて再び連結する。
【００４８】
このような作業を繰り返し、地上から５８ｍの高さまで２ｍの四角支柱１１を２９段積み重ねる。本実施形態では、最後の１段、つまり最上段の短尺の四角支柱１１の上側の端板１３の何れか１つの連結穴２３に連結具４０を介して捨て滑車３９を地上にて連結しておく。自在クランプ３４を介して最上段の四角支柱１１に台棒２８の下部を固定する際、これに先立って台棒２８の上端に装着されていた滑車ユニット４４を取り外す。そして、一端側がウインチに連結されているロープ４３の他端側を捨て滑車３９に巻き掛け、ロープ４３の他端を吊具４６および支えロープ４７ならびに滑車ユニット４４と共に地上へと降下させる。
【００４９】
以後、避雷突針２９や風向風速計３０，太陽電池３３などは、この捨て滑車３９を利用して地上から吊り上げられる。まず、避雷突針２９を吊り上げ、この避雷突針２９を絶縁部材３５および自在クランプ３６を介して台棒２８の上端に連結する。次いで、風向風速計３０を吊り上げ、所定の位置に自在クランプ３８を介して固定する。高所作業者が組上がった四角支柱１１を大きく下降する必要が生じた場合、捨て滑車３９に巻き掛けられたロープ４３の他端を高所作業者自身に連結し、ウインチを逆転して容易かつ安全に降下することができる。太陽電池３３は、地上から最も低い位置に配される風向風速計３０よりも下方に位置するように、図示しない取り付け具を用い、風況観測塔１０が設置される個所の緯度に適合した傾斜角で南向きに四角支柱１１へと固定される。高所作業者は、風況観測塔１０を降下しつつ避雷突針２９に接続する導線ケーブル３７や風向風速計３０から引き出された図示しないケーブルを図示しないタイベルトにて四角支柱１１にゆわえ、地上まで引き下ろす。
【００５０】
一方、地上から４，７，１１，１４，１７，２１，２４，２７段目および最上段、すなわち３０段目の四角支柱１１の４本の連結管１４の下部には、これらの積み重ね時にそれぞれ４本の支線ケーブル２５の上端部が巻き付けグリップ２７を介して連結される。これら支線ケーブル２５は、地上に配されたそれぞれの組の支線ロッド２６に図示しないシンブルおよび巻き付けグリップを介してそれぞれ連結される。これらの作業は、四角支柱２０の組み立てと同時に並行して行われ、積み重ねられて行く四角支柱１１が垂直となるように、各支線ケーブル２５の長さおよび張力が適切に調整される。
【００５１】
このように、風況観測塔１０が約６０ｍの高さの場合であっても、その設置面積を５０ｍの円で囲まれた比較的狭い領域に制限することができ、クレーンなどの重機が不要であることと相俟って、山間部であっても容易かつ低コストにて設置することができる。結果として、風力発電の計画から風力発電装置の稼働までの期間が大幅に短縮され、風力発電装置を設置するためのコストを大幅に抑制することが可能となる。
【符号の説明】
【００５２】
１０  風況観測塔
１１  四角支柱
１２，１３  端板
１４  連結管
１５  補強板
１６  連結穴
１７  踏み棒
１８，１９  丸穴
２０  ボルト
２１  ナット
２２  はね座金
２３  アンカープレート
２４  支線アンカー
２５  支線ケーブル
２６  支線ロッド
２７  巻き付けグリップ
２８  台棒
２９  避雷突針
３０  風向風速計
３１  支持アーム
３２  データーロガー
３３  太陽電池
３４  自在クランプ
３５  絶縁部材
３６  自在クランプ
３７  導線ケーブル
３８  自在クランプ
３９  捨て滑車
４０  連結具
４１  穴
４２  滑車
４３  ロープ
４４  滑車ユニット
４５  ストッパー
４６  吊具
４７  支えロープ
４８  連結具
【図１】
2018112039.tif 000003
【図２】
2018112039.tif 000004
【図３】
2018112039.tif 000005
【図４】
2018112039.tif 000006
【図５】
2018112039.tif 000007
【図６】
2018112039.tif 000008
【図７】
2018112039.tif 000009
【図８】
2018112039.tif 000010